(57)【特許請求の範囲】
【請求項１】
圧縮機（１）と、四路切換弁（２）と、冷房運転時に凝縮器として作用し、暖房運転時に蒸発器として作用し且つ室外ファン（１１）が付設された熱源側熱交換器（３）と、減圧機構（４）と、冷房運転時に蒸発器として作用し、暖房運転時に凝縮器として作用する室内空調用の利用側熱交換器（５）と、該利用側熱交換器（５）と並列に接続された冷蔵又は冷凍用の蒸発器（６）とを備えた冷凍装置であって、暖房運転時には前記熱源側熱交換器（３）を蒸発器として作用させる通常の暖房サイクルに代えて前記圧縮機（１）からの冷媒を、前記四路切換弁（２）、前記利用側熱交換器（５）、前記減圧機構（４）および前記蒸発器（６）を経て循環させる熱回収回路（Ｂ）を構成するようにするとともに、前記室外ファン（１１）の暖房運転時における運転積算時間に基づいて前記熱源側熱交換器（３）のデフロスト運転開始時期を決定するようにしたことを特徴とする冷凍装置。
【請求項２】
外気温度を検出する外気温度検出手段（４４）を付設するとともに、該外気温度検出手段（４４）により検出された外気温度に基づいて前記デフロスト運転開始時期を補正するようにしたことを特徴とする前記請求項１記載の冷凍装置。
【請求項３】
前記熱源側熱交換器（３）における冷媒温度を検出する冷媒温度検出手段（４７）を付設するとともに、該冷媒温度検出手段（４７）により検出された冷媒温度に基づいて前記デフロスト運転開始時期を補正するようにしたことを特徴とする前記請求項１および２のいずれか一項記載の冷凍装置。
【請求項４】
前記デフロスト運転を、前記四路切換弁（２）を冷房運転側に切り換える逆サイクルデフロスト運転としたことを特徴とする前記請求項１、２および３のいずれか一項記載の冷凍装置。
【請求項５】
前記デフロスト運転中に前記蒸発器（６）による冷蔵又は冷凍運転を強制的に行うことを特徴とする前記請求項１、２、３および４のいずれか一項記載の冷凍装置。
【発明の詳細な説明】
【０００１】
【発明の属する技術分野】
【０００２】
本願発明は、室内空調用の利用側熱交換器と冷蔵用の蒸発器とを併設してなる冷凍装置に関するものである。
【従来の技術】
【０００３】
例えば、コンビニエンスストア等においては、商品を冷蔵あるいは冷凍するための冷蔵又は冷凍用冷凍装置と、室内の空調を行うための空調用冷凍装置とが必要であり、従来技術においては、それぞれ別個の冷媒回路により構成されていた。
【０００４】
上記のような構成とした場合、室内空調用冷媒回路と冷蔵又は冷凍用冷媒回路との二つの冷媒回路が必要となり、構成が複雑化するとともに、冷蔵又は冷凍用として使用した廃熱は、室外側に設置された熱源側熱交換器により外部へ放出され、有効に利用されないという不具合があった。
【０００５】
そこで、室内空調用の利用側熱交換器と冷蔵又は冷凍用の蒸発器とを並列に接続し、暖房運転時において冷蔵又は冷凍用の蒸発器で使用された廃熱を空調用の利用側熱交換器において暖房熱源として利用するようにした熱回収可能な冷凍装置が提案されている。
【発明が解決しようとする課題】
【０００６】
ところが、上記した熱回収可能な冷凍装置の場合、冷蔵又は冷凍用の蒸発器がサーモ停止したり、冷蔵又は冷凍用の蒸発器における負荷が小さくなると、必要な暖房熱源が冷蔵又は冷凍用の蒸発器で得られなくなるので、熱源側熱交換器を蒸発器として作用させる通常の暖房サイクルによる暖房運転が必要がある。このような通常暖房サイクルによる暖房運転時において、蒸発器として作用している熱源側熱交換器に着霜が生じると、暖房能力が低下することとなるので、前記着霜を除去するデフロスト運転を行う必要がある。
【０００７】
通常のデフロスト運転の場合、暖房運転の運転積算時間に基づいてデフロスト開始時期を決定すればよいが、上記した熱回収可能な冷凍装置においては、熱回収暖房運転時には熱源側熱交換器が動作していないため、暖房運転の運転積算時間ではデフロスト運転開始時期を決定できないという不具合がある。
【０００８】
本願発明は、上記の点に鑑みてなされたもので、熱回収可能な冷凍装置におけるデフロスト運転開始時期を的確に決定できるようにすることを目的とするものである。
【課題を解決するための手段】
【０００９】
請求項１の発明では、上記課題を解決するための手段として、圧縮機１と、四路切換弁２と、冷房運転時に凝縮器として作用し、暖房運転時に蒸発器として作用し且つ室外ファン１１が付設された熱源側熱交換器３と、減圧機構４と、冷房運転時に蒸発器として作用し、暖房運転時に凝縮器として作用する室内空調用の利用側熱交換器５と、該利用側熱交換器５と並列に接続された冷蔵又は冷凍用の蒸発器６とを備えた冷凍装置において、暖房運転時には前記熱源側熱交換器３を蒸発器として作用させる通常の暖房サイクルに代えて前記圧縮機１からの冷媒を、前記四路切換弁２、前記利用側熱交換器５、前記減圧機構４および前記蒸発器６を経て循環させる熱回収回路Ｂを構成するようにするとともに、前記室外ファン１１の暖房運転時における運転積算時間に基づいて前記熱源側熱交換器３のデフロスト運転開始時期を決定するようにしている。
【００１０】
上記のように構成したことにより、暖房運転時において冷蔵又は冷凍用の蒸発器６の負荷が小さくなって利用側熱交換器５における暖房熱源が不足ぎみとなったり、冷蔵又は冷凍用の蒸発器６がサーモ停止して利用側熱交換器５における暖房熱源が得られなくなると、熱源側熱交換器３を蒸発器として作用させる通常暖房サイクルでの暖房運転が行われるが、当該暖房運転による熱源側熱交換器３への着霜限界を、室外ファン１１の運転積算時間に基づいて判断し、熱源側熱交換器３のデフロスト運転開始時期が決定される。従って、実際に蒸発器として作用している熱源側熱交換器３の運転状態に応じてデフロスト運転開始時期を決定することができることとなり、熱源側熱交換器３の的確なデフロスト運転開始時期が得られる。
【００１１】
請求項２の発明におけるように、請求項１記載の冷凍装置において、外気温度を検出する外気温度検出手段４４を付設するとともに、該外気温度検出手段４４により検出された外気温度に基づいて前記デフロスト運転開始時期を補正するようにした場合、外気温度を考慮して熱源側熱交換器３のデフロスト運転開始時期を決定することができることとなり、より的確なデフロスト運転開始時期が得られる。
【００１２】
請求項３の発明におけるように、請求項１および２のいずれか一項記載の冷凍装置において、前記熱源側熱交換器３における冷媒温度を検出する冷媒温度検出手段４７を付設するとともに、該冷媒温度検出手段４７により検出された冷媒温度に基づいて前記デフロスト運転開始時期を補正するようにした場合、冷媒温度を考慮して熱源側熱交換器３のデフロスト運転開始時期を決定することができることとなり、より一層的確なデフロスト運転開始時期が得られる。
【００１３】
請求項４の発明におけるように、請求項１、２および３のいずれか一項記載の冷凍装置において、前記デフロスト運転を、前記四路切換弁２を冷房運転側に切り換える逆サイクルデフロスト運転とした場合、圧縮機１の吐出ガス冷媒を直接熱源側熱交換器３に供給して着霜を融かすこととなり、熱源側熱交換器３のデフロスト運転時間を短縮することができる。
【００１４】
請求項５の発明におけるように、請求項１、２、３および４のいずれか一項記載の冷凍装置において、前記デフロスト運転中に前記蒸発器６による冷蔵又は冷凍運転を強制的に行うようにした場合、冷蔵商品等を犠牲にしなくともよくなる。
【発明の実施の形態】
【００１５】
以下、添付の図面を参照して、本願発明の好適な実施の形態について詳述する。
【００１６】
この冷凍装置は、図１に示すように、並列に接続された一対の圧縮機１，１、四路切換弁２、室外ファン１１を付設した熱源側熱交換器３、減圧機構として作用する膨張弁４および利用側熱交換器５を冷媒配管を介して順次接続して構成されたヒートポンプ式空調用冷媒回路Ａと、該ヒートポンプ式空調用冷媒回路Ａにおける前記膨張弁４の下流側から分岐し、冷蔵用の蒸発器６を介して前記圧縮機１，１の吸入側に接続される冷蔵用冷媒回路（換言すれば、熱回収回路）Ｂとを備えている。前記室外ファン１１は、暖房運転時においては熱源側熱交換器３と連動してＯＮ／ＯＦＦされることとなっている。
【００１７】
前記熱源側熱交換器３と膨張弁４との間には、冷房運転時において前記熱源側熱交換器３の出口側となる部分に接続されたレシーバ７と、該レシーバ７の液相部からの液冷媒を外部熱媒体（例えば、室外空気）により過冷却する空冷の第１の過冷却熱交換器８と、該第１の過冷却熱交換器８からの過冷却液冷媒を該過冷却液冷媒の一部を感温膨張弁９により減圧して得られる気液混合冷媒の蒸発潜熱によりさらに過冷却する三重管式の第２の過冷却熱交換器９とが設けられている。該第２の過冷却熱交換器９において蒸発気化したガス冷媒は、低圧ガス配管１２を介して圧縮機１，１の吸入側に供給されることとなっている。また、前記感温膨張弁１０の感温筒１０ａは、前記低圧ガス配管１２に付設されている。符号１３は第２の過冷却熱交換器９へ液冷媒の一部を供給するときにのみ開作動される電磁開閉弁である。なお、本実施の形態においては、前記室外ファン１１は、利用側熱交換器３と第１の過冷却熱交換器８とに共用されている。
【００１８】
前記レシーバ７の入口側には、４個の逆止弁１４ａ〜１４ｄを備えたブリッジ回路１４が設けられている。該ブリッジ回路１４は、冷房運転時には熱源側熱交換器３からの液冷媒をレシーバ７へ導くとともにレシーバ７からの液冷媒を膨張弁４を経由した後利用側熱交換器５に導き、暖房運転時には利用側熱交換器５からの液冷媒をレシーバ７へ導くとともにレシーバ７からの液冷媒を膨張弁４を経由した後熱源側熱交換器３へ導く流路切換機構として作用する。符号１５は冷房運転時のみ熱源側熱交換器３からレシーバ７への液冷媒の流通を許容する逆止弁、１６は暖房運転時には開作動して膨張弁４から利用側熱交換器３への冷媒流通を許容し、暖房熱回収運転時に閉作動して膨張弁４から冷蔵用蒸発器６へのみ冷媒流通を許容する電磁開閉弁である。
【００１９】
前記冷蔵用冷媒回路Ｂにおける冷蔵用蒸発器６の上流側液管１７には、後述する冷凍用冷媒回路Ｃにおける冷凍用圧縮機１８の吐出ガス冷媒との熱交換を行うプレート熱交換器１９が介設されている。
【００２０】
前記冷凍用冷媒回路Ｃは、前記冷凍用圧縮機１８、前記プレート熱交換器１９、感温膨張弁２０、冷凍用蒸発器２１およびアキュームレータ２２を冷媒配管を介して順次接続して構成されている。
【００２１】
前記利用側熱交換器５と前記ブリッジ回路１４との間には、電磁開閉弁２４と冷房運転時にのみ冷媒流通を許容する逆止弁２５との直列回路２３ａと、電磁開閉弁２６と暖房運転時にのみ冷媒流通を許容する逆止弁２７との直列回路２３ｂとからなる可逆流通機構２３が介設されている。符号２８は電磁開閉弁２６をバイパスする液逃がし用のキャピラリチューブである。
【００２２】
前記冷蔵用冷媒回路Ｂには、前記冷蔵用蒸発器６をバイパスするバイパス回路２９が設けられ、該バイパス回路２９には、冷蔵用蒸発器６の運転停止時にのみ開作動する電磁開閉弁３０が介設されている。符号３１は冷蔵用蒸発器６の運転停止時にのみ閉作動される電磁開閉弁、３２は冷凍用蒸発器２１の運転停止時にのみ閉作動される電磁開閉弁、３３は利用側熱交換器５に付設された室内ファン、３４は冷蔵用蒸発器６に付設された冷蔵用ファン、３５は冷凍用蒸発器２１に付設された冷凍用ファンである。
【００２３】
前記圧縮機１，１の吐出側には、ガス冷媒中に含まれる潤滑油を分離する油分離器３６が設けられており、該油分離器３６で分離された潤滑油は、油戻し管３７を介して圧縮機１，１の吸入管３８に戻されるようになっている。符号３９は油戻し時に開作動される電磁開閉弁である。
【００２４】
図面中、符号４０は圧縮機１，１の吐出圧力である高圧圧力を検出する高圧圧力検出手段として作用する圧力センサー、４１は室内空気温度を検出する室温センサー、４２は吐出ガス冷媒の温度を検出する吐出温度センサー、４３は吸入ガス冷媒の圧力を検出する圧力センサー、４４は外気温度Ｔａを検出する外気温度検出手段として作用する外気温センサー、４５，４６は閉鎖弁、４７は熱源側熱交換器３の温度（換言すれば、冷媒温度Ｔｘ）を検出する冷媒温度検出手段として作用する熱交センサーである。
【００２５】
上記のように構成された冷凍装置においては、次のような作用効果が得られる。
（Ｉ）  冷房運転
この時、四路切換弁２は実線図示のように切り換えられ、電磁開閉弁１３は開作動され、電磁開閉弁１６は閉作動され、電磁開閉弁２４は開作動され、電磁開閉弁２６は閉作動され、電磁開閉弁３０は閉作動され、電磁開閉弁３１，３２は開作動され、電磁開閉弁３９は開作動されており、空調用冷媒回路Ａにおいては、圧縮機１，１から吐出されたガス冷媒が、凝縮器として作用している熱源側熱交換器３において凝縮液化された後、逆止弁１５およびブリッジ回路１４を経てレシーバ７へ送られ、該レシーバ７の液相部からの液冷媒は、第１の過冷却熱交換器８において室外空気との熱交換により過冷却され、さらなる過冷却が必要な場合（即ち、電磁開閉弁１３が開作動されている場合）には、前記第１の過冷却熱交換器８からの過冷却液冷媒が、第２の過冷却熱交換器９において該過冷却液冷媒の一部であって感温膨張弁１０によって減圧された気液混合冷媒の蒸発潜熱によりさらに過冷却され、膨張弁４で減圧されて利用側熱交換器５に供給されて蒸発し、得られた蒸発潜熱が冷房用冷熱源として利用され、その後圧縮機１，１へ還流される。
【００２６】
また、冷蔵用冷媒回路Ｂにおいては、前記膨張弁４で減圧された冷媒が、前記空調用冷媒回路Ａから分岐してプレート熱交換器１９を経て冷蔵用蒸発器６に供給されて蒸発し、得られた蒸発潜熱が冷蔵用冷熱源として利用され、その後圧縮機１，１へ還流される。
【００２７】
さらに、冷凍用冷媒回路Ｃにおいては、冷凍用圧縮機１８から吐出されたガス冷媒が、凝縮器として作用しているプレート熱交換器１９において冷蔵用冷媒回路Ｂにおける液管１７を流通する液冷媒との熱交換により凝縮液化された後、膨張弁２０で減圧されて冷凍用蒸発器２１に供給されて蒸発し、得られた蒸発潜熱が冷凍用冷熱源として利用され、その後アキュームレータ２２を経て圧縮機１８へ還流される。
【００２８】
ところで、冷蔵・冷凍の庫内温度が高い場合には、冷蔵・冷凍のドラフト防止のために、室内ファン３３を低速運転とするのが望ましい。
（ＩＩ）  暖房運転
この時、四路切換弁２は点線図示のように切り換えられ、電磁開閉弁１３は開作動され、電磁開閉弁１６は閉作動され、電磁開閉弁２４は閉作動され、電磁開閉弁２６は開作動され、電磁開閉弁３０は閉作動され、電磁開閉弁３１，３２は開作動され、電磁開閉弁３９は開作動されており、空調用冷媒回路Ａにおいては、圧縮機１，１から吐出されたガス冷媒が、凝縮器として作用している利用側熱交換器５において凝縮液化され、得られた凝縮潜熱が暖房熱源として利用された後、逆止弁１５およびブリッジ回路１４を経てレシーバ７へ送られ、該レシーバ７の液相部からの液冷媒は、第１の過冷却熱交換器８において室外空気との熱交換により過冷却され、さらなる過冷却が必要な場合（即ち、電磁開閉弁１３が開作動されている場合）には、前記第１の過冷却熱交換器８からの過冷却液冷媒が、第２の過冷却熱交換器９において該過冷却液冷媒の一部であって感温膨張弁１０によって減圧された気液混合冷媒の蒸発潜熱によりさらに過冷却され、膨張弁４で減圧されて冷蔵用冷媒回路Ｂにおけるプレート熱交換器１９を経て蒸発器６に供給されて蒸発し、得られた蒸発潜熱が冷蔵用冷熱源として利用され、その後圧縮機１，１へ還流される。
【００２９】
また、冷凍用冷媒回路Ｃにおいては、冷凍用圧縮機１８から吐出されたガス冷媒が、凝縮器として作用しているプレート熱交換器１９において冷蔵用冷媒回路Ｂにおける液管１７を流通する液冷媒との熱交換により凝縮液化された後、膨張弁２０で減圧されて冷凍用蒸発器２１に供給されて蒸発し、得られた蒸発潜熱が冷凍用冷熱源として利用され、その後アキュームレータ２２を経て圧縮機１８へ還流される。
【００３０】
上記したように、本実施の形態においては、暖房運転時には冷蔵用冷媒回路Ｂにおける蒸発器６で冷蔵用冷熱源として使用された廃熱が、利用側熱交換器５において暖房熱源として回収されることとなる。この時、圧縮機１，１のうち１台は運転停止されている（換言すれば、圧縮機の能力がダウンされている）。
【００３１】
ところで、暖房運転中において冷蔵・冷凍負荷が小さくなった（換言すれば、圧縮機１，１の吸入圧力である低圧圧力が低くなった）場合あるいは冷蔵運転がサーモ停止した場合には、利用側熱交換器５における暖房熱源が不足しあるいは得られなくなるので、電磁開閉弁１６を開作動させ、熱源側熱交換器３を蒸発器として作用させる通常の暖房サイクル運転が行われることとなっているが、このような暖房運転により、熱源側熱交換器３に着霜が生じると、暖房能力が低下するので、着霜を融かすデフロスト運転を行う必要がある。
【００３２】
上記デフロスト運転は、四路切換弁２を冷房運転側に切り換える逆サイクルデフロスト運転により行われるが、デフロスト運転開始時期およびデフロスト運転終了時期は次のようにして決定される。
【００３３】
実施例１
暖房運転中において、室外ファン１１の運転積算時間ｔが設定値ｔｓ1以上となった場合には、デフロスト運転を開始し、デフロスト運転開始後予め設定された設定時間ｔ0が経過した時点でデフロスト運転を終了する。なお、デフロスト運転終了時期は、熱交センサー４７により検出された冷媒温度Ｔｘが設定値Ｔｘｓ以上となった時点としてもよい。このようにすれば、暖房運転時に蒸発器として作用している熱源側熱交換器３に付設されている室外ファン１１の運転積算時間ｔに基づいてデフロスト運転開始時期が決定されることとなり、実際の運転状態に応じてデフロスト運転開始時期を決定することができることとなり、的確なデフロスト運転開始時期が得られる。
【００３４】
実施例２
暖房運転中において、外気温度Ｔａが設定値Ｔａｓ（例えば、５℃）以下であって、室外ファン１１の運転積算時間ｔが設定値ｔｓ2以上となった場合には、デフロスト運転を開始し、デフロスト運転開始後予め設定された設定時間ｔ0が経過した時点でデフロスト運転を終了する。なお、デフロスト運転終了時期は、熱交センサー４７により検出された冷媒温度Ｔｘが設定値Ｔｘｓ以上となった時点としてもよい。このようにすれば、外気温度Ｔａを考慮してデフロスト運転開始時期を決定することができることとなり、より的確なデフロスト運転開始時期が得られる。
【００３５】
実施例３
暖房運転中において、熱源側熱交換器３における冷媒温度Ｔｘが設定値Ｔｘｓ以下であって、室外ファン１１の運転積算時間ｔが設定値ｔｓ3以上となった場合には、デフロスト運転を開始し、デフロスト運転開始後予め設定された設定時間ｔ0が経過した時点でデフロスト運転を終了する。なお、デフロスト運転終了時期は、熱交センサー４７により検出された冷媒温度Ｔｘが設定値Ｔｘｓ以上となった時点としてもよい。このようにすれば、冷媒温度Ｔｘを考慮してデフロスト運転開始時期を決定することができることとなり、より的確なデフロスト運転開始時期が得られる。なお、冷媒温度Ｔｘに代えて、低圧圧力あるいは蒸発温度を採用してもよい。
【００３６】
実施例４
暖房運転中において、外気温度Ｔａが設定値Ｔａｓ（例えば、５℃）以下であり、熱源側熱交換器３における冷媒温度Ｔｘが設定値Ｔｘｓ以下であって、室外ファン１１の運転積算時間ｔが設定値ｔｓ4以上となった場合には、デフロスト運転を開始し、デフロスト運転開始後予め設定された設定時間ｔ0が経過した時点でデフロスト運転を終了する。なお、デフロスト運転終了時期は、熱交センサー４７により検出された冷媒温度Ｔｘが設定値Ｔｘｓ以上となった時点としてもよい。このようにすれば、冷媒温度Ｔｘを考慮してデフロスト運転開始時期を決定することができることとなり、より一層的確なデフロスト運転開始時期が得られる。なお、冷媒温度Ｔｘに代えて、低圧圧力あるいは蒸発温度を採用してもよい。
【００３７】
上記デフロスト運転中に前記蒸発器６による冷蔵運転は強制的に行われることとなっている。このようにすれば、冷蔵商品等を犠牲にしなくともよくなる。
【００３８】
上記実施例においては、逆サイクルデフロスト運転を行うようにしているが、圧縮機１，１の吐出ガス冷媒をバイパス回路を介して熱源側熱交換器３に供給するホットガスバイパスによるデフロスト運転を行ってもよい。
【発明の効果】
【００３９】
請求項１の発明によれば、圧縮機１と、四路切換弁２と、冷房運転時に凝縮器として作用し、暖房運転時に蒸発器として作用し且つ室外ファン１１が付設された熱源側熱交換器３と、減圧機構４と、冷房運転時に蒸発器として作用し、暖房運転時に凝縮器として作用する室内空調用の利用側熱交換器５と、該利用側熱交換器５と並列に接続された冷蔵又は冷凍用の蒸発器６とを備えた冷凍装置において、暖房運転時には前記熱源側熱交換器３を蒸発器として作用させる通常の暖房サイクルに代えて前記圧縮機１からの冷媒を、前記四路切換弁２、前記利用側熱交換器５、前記減圧機構４および前記蒸発器６を経て循環させる熱回収回路Ｂを構成するようにするとともに、前記室外ファン１１の暖房運転時における運転積算時間に基づいて前記熱源側熱交換器３のデフロスト運転開始時期を決定するようにしたので、実際に蒸発器として作用している熱源側熱交換器３の運転状態に応じてデフロスト運転開始時期を決定することができることとなり、熱源側熱交換器３の的確なデフロスト運転開始時期が得られるという効果がある。
【００４０】
請求項２の発明におけるように、請求項１記載の冷凍装置において、外気温度を検出する外気温度検出手段４４を付設するとともに、該外気温度検出手段４４により検出された外気温度に基づいて前記デフロスト運転開始時期を補正するようにした場合、外気温度を考慮して熱源側熱交換器３のデフロスト運転開始時期を決定することができることとなり、より的確なデフロスト運転開始時期が得られる。
【００４１】
請求項３の発明におけるように、請求項１および２のいずれか一項記載の冷凍装置において、前記熱源側熱交換器３における冷媒温度を検出する冷媒温度検出手段４７を付設するとともに、該冷媒温度検出手段４７により検出された冷媒温度に基づいて前記デフロスト運転開始時期を補正するようにした場合、冷媒温度を考慮して熱源側熱交換器３のデフロスト運転開始時期を決定することができることとなり、より一層的確なデフロスト運転開始時期が得られる。
【００４２】
請求項４の発明におけるように、請求項１、２および３のいずれか一項記載の冷凍装置において、前記デフロスト運転を、前記四路切換弁２を冷房運転側に切り換える逆サイクルデフロスト運転とした場合、圧縮機１の吐出ガス冷媒を直接熱源側熱交換器３に供給して着霜を融かすこととなり、熱源側熱交換器３のデフロスト運転時間を短縮することができる。
【００４３】
請求項５の発明におけるように、請求項１、２、３および４のいずれか一項記載の冷凍装置において、前記デフロスト運転中に前記蒸発器６による冷蔵又は冷凍運転を強制的に行うようにした場合、冷蔵商品等を犠牲にしなくともよくなる。
【図面の簡単な説明】
【図１】  本願発明の実施の形態にかかる冷凍装置の冷媒回路図である。
【符号の説明】
１は圧縮機、２は四路切換弁、３は熱源側熱交換器、４は減圧機構（膨張弁）、５は利用側熱交換器、６は蒸発器、１１は室外ファン、１６は開閉弁（電磁開閉弁）４４は外気温度検出手段（外気温度センサー）、４７は冷媒温度検出手段（熱交センサー）。
【図１】
0004284823.tif 000002